(57)【要約】  本発明は、第１の画像エリア（３）内に識別画像（４）を有する画像層（２）を含むセキュリティ文書（１）に関する。本セキュリティ文書は、第２の画像エリア（５）内に、第１の画像（４）の陽画バージョンである第１の認証画像（７）と、第１の識別画像（４）の陰画バージョンである第２の認証画像（８）とで構成された認証画像（６）を有する。認証画像（７、８）は、異なる角度で観察され、傾斜画像を形成することができる。陽画傾斜画像及び陰画傾斜画像の相互比較、並びに識別画像との比較は、不正変更の検出の改善を可能とする。【選択図】  図１
2019535555.tif 000002
【特許請求の範囲】
【請求項１】
第１の画像エリア（３）内に、陽画明度スケール上の所定の明度値を有する画素を含む識別画像（４）を含むと共に、第２の画像エリア（５）内に、前記第１の画像（４）に対応する認証画像（６）を有する画像層（２）を含むセキュリティ文書（１）であって、
前記認証画像（６）は、第１の観察角度（α１）において第１の認証画像（７）が見え且つ第２の観察角度（α２）において第２の認証画像（８）が見えるよう複数のレンズ（１０）の下方に配置された少なくとも二つの画像（７、８）を含み、
前記第１の認証画像（７）は、前記識別画像の前記明度値に対応する明度値を含む画素を有する、前記第１の画像（４）に対応する陽画画像であり、
前記第２の認証画像（８）は、前記陽画明度スケールにおける最も明るい画素を最も暗く見せ、最も暗い画素を最も明るく見せることによって得られる反転明度スケールに対応する明度値を含む画素を有する、前記第１の画像（４）に対応する陰画画像であり、
垂直視線方向において前記識別画像（４）及び前記第１の認証画像（７）の両方を観察することができ、その一方で、非垂直視線方向において前記第２の認証画像（８）を観察することができるようになっている、セキュリティ文書（１）。
【請求項２】
前記レンズ（１０）が円柱レンズであり、前記認証画像（７、８）が、前記円柱レンズの下方にインタレース方式で配置されている、請求項１に記載のセキュリティ文書（１）。
【請求項３】
前記第１の画像（４）が肖像を含み、前記認証画像（７、８）が両方とも、当該セキュリティ文書を観察するユーザによって同様の位置において見られるような前記画像層（２）内の位置に配置された基準点を含む、請求項１又は２に記載のセキュリティ文書（１）。
【請求項４】
前記認証画像（７、８）が、前記画像エリア（５）と垂直である垂直視線方向（１７）に対して異なる観察角度（α１、α２）の下で観察可能である、請求項１〜３のいずれか一項に記載のセキュリティ文書（１）。
【請求項５】
前記垂直視線方向（１７）に対する前記第１の認証画像（７）及び前記第２の認証画像（８）の前記角度（α１、α２）が、それぞれ、＋１０°〜＋２０°及び−１０°〜−２０°であり、前記角度（α１、α２）間の相互の差が少なくとも１°であり、好ましくは少なくとも２°である、請求項４に記載のセキュリティ文書（１）。
【請求項６】
セキュリティ文書（１）を形成する方法であって、
画像層（２）に複数の円柱レンズ（１０）のアレイを設けるステップと、
識別画像（４）を画像処理ユニット（１８）内に提供するステップであって、前記識別画像が陽画明度スケール上の所定の明度値Ｂｐを有する画素を含む、ステップと、
前記画像処理ユニット（１８）内において、前記識別画像（４）の前記明度値に対応する明度値を含む画素を有する、前記第１の画像（４）に対応する陽画認証画像（７）と、前記陽画明度スケールにおける最も明るい画素が最も暗く見え、最も暗い画素が最も明るく見える反転明度スケールに対応する明度値Ｂｎを含む画素を有する、前記識別画像に対応する陰画認証画像（８）とを提供するステップと、
垂直視線方向において前記識別画像（４）及び第１の認証画像（７）の両方を観察することができ、その一方で、非垂直視線方向において第２の認証画像（８）を観察することができるよう、前記複数の円柱レンズ（１０）を通して前記画像層（２）内に異なる角度（α１、α２）で前記第１の認証画像（７）及び前記第２の認証画像（８）をレーザ彫刻するステップと、
を含む方法。
【請求項７】
前記画像処理ユニット（１８）において、前記第１の認証画像（７）及び前記第２の認証画像（８）が、前記セキュリティ文書を異なる角度で観察するユーザによって同様の位置において見られるように変換される、請求項６に記載の方法。
【請求項８】
前記第１の認証画像（７）及び前記第２の認証画像（８）が、垂直視線方向（１７）に対して相互に異なる角度（α１、α２）から前記画像層（２）内にレーザ彫刻される、請求項６又は７に記載の方法。
【請求項９】
前記画像処理ユニット（１８）において、幅方向が前記第１の認証画像（７）及び前記第２の認証画像（８）に関して等しくなるよう、射影された幅寸法を補正するための変換が前記認証画像（７、８）のうちの少なくとも一方に対して実施される、請求項８に記載の方法。
【発明の詳細な説明】
【技術分野】
【０００１】
本発明は、第１の画像エリア内に配置された、陽画明度スケール上の所定の明度値を有する画素を含む識別画像と、第２の画像エリア内に配置された、第１の画像に対応する認証画像とを有する画像層を備えるセキュリティ文書であって、認証画像がレンズの下方に配置された少なくとも二つの画像を含み、そのうち第１の認証画像を第１の観察角度において見ることができ、第２の観察角度において第２の認証画像を見ることができるようになっている、セキュリティ文書に関する。
【０００２】
本発明はまた、このようなセキュリティ文書を製造する方法に関する。
【背景技術】
【０００３】
前述したようなセキュリティ文書は本出願人名義の国際公開第２０１４／０９８５７３号から知られている。同文献では、セキュリティ文書に、主画像又は「識別」画像としての第１の二次元肖像画像と、副次的画像又は「認証」画像の役割を果たす肖像画像に対応する立体画像とが設けられるとある。
【０００４】
立体画像は、肖像を異なる角度で示す二つ以上の肖像画像からなる。これらの画像は、レーザ感光性を有する画像層内に、多数の円柱レンズの下方において、インタレース方式でレーザ彫刻される。セキュリティ文書を検査するユーザは、レンズの下方において各々の眼でそれぞれの肖像画像を観察し、これにより、立体画像が形成される。
【０００５】
国際公開第２０１２／０２７７７９号には、銀行券などのセキュリティ文書において、二つのコントラストが逆になった画像が、焦平面の外側において、レンズのセットの下方に配置され、これにより、クロストークの低減した傾斜画像効果が得られることが記載されている。第１の見る角度（観察角度）からは、第１の画像が見えると共に、第２の画像が一様な明るい、又は暗い背景を形成し、それに対して、第２の見る角度では、第２の、コントラストが逆になった画像を前景内に鮮明に提示すると共に、第１の画像が一様な背景を形成する。
【０００６】
欧州特許第０２１９０１２号明細書には、円柱レンズを通して、円柱レンズの下に配置されたレーザ感光性材料層内に、インタレース方式で画像をレーザ彫刻することによって、傾斜画像又は立体画像を円柱レンズのセットの下方に形成する方法が記載されている。
【０００７】
本出願人の名義の国際公開第２０１６／０１０４１５号には、モアレ拡大効果が得られるよう、レンズのピッチとは異なるピッチで認証画像が下方に設けられたレンズのセットを含むセキュリティ文書が記載されている。
【０００８】
本出願人の名義の国際公開第２０１１／０７４９５６号には、円柱レンズのセットの下方において、画像の傾斜時に現れる一時的な黒色パターンを低減するために、画像が焦点の外れた様態でレーザ彫刻されたセキュリティ文書が記載されている。
【０００９】
国際公開第２０１５／０３０５７５号には、認証画像が上に形成された透明窓が設けられたセキュリティ文書、特に、パスポートが記載されている。認証画像は、透明窓に隣接した下にある層内にも形成される。
【００１０】
上述の認証画像は、主画像に対する不正変更の検出を可能にするセキュリティ特徴を提供する。同時に、認証画像は、その複雑な構造、及び認証画像によって生成される特殊な光学効果のゆえに、気付かれることなく容易に変更することができない。
【発明の概要】
【発明が解決しようとする課題】
【００１１】
本発明の目的は、上述したタイプの主画像と認証画像とを有するセキュリティ文書であって、主画像に対する不正変更を迅速に且つ高い信頼性をもって検出することを可能にするセキュリティ文書を提供することである。
【００１２】
また、本発明の目的は、不正変更しにくく、不正変更を容易で且つ高い信頼性をもって検出することができる、認証画像を含むセキュリティ文書を提供することである。
【課題を解決するための手段】
【００１３】
本書において、本発明によるセキュリティ文書においては、第１の認証画像が、識別画像の明度値に対応する明度値を含む画素を有する第１の画像に対応する陽画画像であり、第２の認証画像が、陽画明度スケールにおける最も明るい画素を最も暗く見せ、最も暗い画素を最も明るく見せることによって得られる反転明度スケールに対応する明度値を含む画素を有する、第１の画像に対応する陰画画像であり、識別画像及び第１の認証画像の両方が垂直視線方向において観察され得、その一方で、第２の認証画像が非垂直視線方向において観察され得る。
【００１４】
同じ物体の陽画画像及び陰画画像からなる傾斜画像は、不正変更のための認証画像の効果的な制御を可能にすることが見出された。
【００１５】
陰画認証画像は、その後のレーザ個人化による副次的画像への任意の追加の暗画像情報の追加を防止する。それゆえ、本発明によるセキュリティ特徴は、主識別画像（例えば、肖像画像）及び副次的認証画像の同時操作を防止し、肖像を偽造の試みから効果的に保護する。
【００１６】
セキュリティ文書を傾斜させることによって、検査者は認証画像を陽画画像から陰画画像へ迅速に切り替えることができる。認証画像の明から暗への移行によって得られる光学的印象は、検査者が、認証画像が変更を有しないかどうか、及び認証画像が主画像に対応するかどうかを効果的に判定することを可能にする。陽画画像から陰画画像への切り替え時に、陽画画像は、陰画画像を見ながら、検査者にとって視覚上の刺激として存在し続け、これにより、これらの画像の同一性を適切に証明することができる。主画像との対応は、陽画認証画像の観察に基づいて確実に行われる。
【００１７】
本発明によるセキュリティ文書は、銀行若しくはクレジットカードなどのプラスチックカード、アクセス許可証又は身分証明カード若しくはバッジ、運転免許証などを含み、或いはパスポート及び同様のものを含む。
【００１８】
本発明によるセキュリティ文書の一実施形態では、レンズは円柱レンズを含み、二つの認証画像は、インタレース方式の構成でレンズの下方に配置されている。このような円柱レンズを用いることで、陽画画像及び陰画画像の強い傾斜効果を得ることができる。
【００１９】
本発明によるセキュリティ文書の別の実施形態では、第１の画像は肖像を含み、両認証画像は、セキュリティ文書を観察するユーザによって同様の位置において見られるような画像層内の位置に配置された基準点を含む。
【００２０】
認証画像内の基準点は、眼、口の隅、眉、及び他の顔面位置を含み得る。これらの基準点を、基準点が重なって観察されるよう画像層内に配置することによって、認証画像の明から暗への移行は、明るい陽画画像と暗い陰画画像との１対１の比較を生み出す様態でユーザの視覚内で結合する。
【００２１】
明るい、及び暗い認証画像の良好な比較のために、認証画像は、画像エリアと垂直である垂直視線方向に対して異なる見る角度の下で観察可能であり得る。
【００２２】
垂直視線方向に対する認証画像の非対称性によって、画像が検査者の眼において結合し、相対的差異の検出がより困難になるであろう、結合された明画像及び暗画像を形成することが防止される。
【００２３】
垂直視線方向に対する第１及び第２の認証画像の観察／レーザ彫刻の角度は、それぞれ、＋１０°〜＋２０°、及び−１０°〜−２０°であることが好ましく、陽画画像及び陰画画像のための垂直方向に対する角度の差は少なくとも１°であり、好ましくは少なくとも２°である。
【００２４】
識別画像を垂直視線方向に真っ直ぐ見ると、一実施形態では、陽画認証画像のみが見える。傾斜時にのみ、陰画画像が見えるようになる。
【００２５】
セキュリティ文書を形成する方法は、
画像層に複数の円柱レンズのアレイを設けるステップと、
識別画像を画像処理ユニット内に提供するステップであって、識別画像が陽画明度スケール上の所定の明度値を有する画像要素を含む、ステップと、
画像処理ユニット内において、識別画像の明度値に対応する明度値を含む画素を有する第１の画像に対応する陽画認証画像と、陽画明度スケールにおける最も明るい画素が最も暗く見え、最も暗い画素が最も明るく見える反転明度スケールに対応する明度値を含む画素を有する、第１の画像に対応する陰画認証画像とを提供するステップと、
円柱レンズを通して画像層内に異なる角度で第１及び第２の認証画像をレーザ彫刻するステップと
を含む。
【００２６】
画像処理ユニットにおいて、陰画画像は、陽画画像の明度値のスケールを反転させることによって、容易に得ることができる。
【００２７】
陽画及び陰画認証画像の角度が垂直視線方向とは異なるため、射影ひずみが画像の移動及びその幅の変化を生じさせる。画像の幅、高さ及び形状は台形の様態で変更される。陽画画像及び陰画画像のうちの少なくとも一方の幅を変更し、陽画及び陰画認証画像の眼が再び整列されるよう、画像の位置を横に移動させることによって、このひずみを補償するための補正を行うことができる。
【００２８】
陽画及び陰画認証画像の立体視を防止するために、それらは、垂直視線方向に対して相互に異なる角度でレーザ彫刻される。画像処理ユニットにおいて認証画像の少なくとも一つのために斜視補正が施される。
【００２９】
以下、本発明によるセキュリティ文書のいくつかの実施形態について、添付の図面を参照して、非限定的な例として詳細に説明する。
【図面の簡単な説明】
【００３０】
【図１】本発明による認証画像を有する身分証明カードの一実施形態を示す図である。
【図２】レンチキュラレンズアレイの下方において、インタレース方式のピクセルトラック（画素線）をレーザ彫刻する様子を示す概略図である。
【図３】二つの画像を異なる角度でレーザ彫刻する様子を示す概略図である。
【図４ａ】一つの画像について、その画像の陽画バージョンについての画素の明度分布を概略的に示す図である。
【図４ｂ】一つの画像について、その画像の陰画バージョンについての画素の明度分布を概略的に示す図である。
【発明を実施するための形態】
【００３１】
図１は、身分証明カード、銀行カード、クレジットカード、パスポートなどのセキュリティ文書１を示す。セキュリティ文書１は、例えば、ポリカーボネート材料で構成され得る画像層２を含む。画像層２は、第１の画像エリア３内に主画像又は「識別画像」（本例では、セキュリティ文書の所持者のパスポート写真４によって形成されている）を有する。パスポートの写真は、二次元写真であってもよく、又は欧州特許第０２１９０１２号明細書に記載されているものなどの立体画像であってもよく、画像層２上に印刷されていても画像層２内にレーザ彫刻されていてもよい。
【００３２】
第２の画像エリア５内には、副次的画像又は「認証画像」６が形成されている。認証画像は複数のレンズの下方に配置されており、少なくとも二つの画像、すなわちパスポート写真４に対応する一つの陽画画像７と、パスポート写真４の一つの陰画画像８で構成されている。両方の画像７、８はインタレース方式で形成され、レンチキュラレンズアレイの下方に配置されており、これにより、画像７、８を垂直視線方向とは異なる角度で見ると、陽画画像７又は陰画画像８のどちらかが観察される。セキュリティ文書１を異なる角度で見ることは、図面の面内の鉛直軸線を中心としてセキュリティ文書を傾斜させることによって行うことができる。
【００３３】
セキュリティ文書を一方の見る角度から他方へ傾斜させると、画像７は切り替わって画像８を示すことになる。これらの画像７、８が同じ肖像画像４の陽画及び陰画を形成しているため、画像８又は画像７と肖像画像４との何らかの差異、並びに画像７及び８間の相互の差異がすぐに分かる。両方の画像７、８が続けて見られるという事実のゆえに、観察時に画像がいくらか重ね合わせられることが考えられる。画像７及び８における眼、口の隅、あご先、頬骨等などの特定の画像部位が同じ位置に配置されており、画像の傾斜時に同じ位置にとどまること（すなわち、画像７、８が、陽画及び陰画であることを除いて、同一であること）を確実にすることによって、傾斜時の相互比較が促進される。
【００３４】
図２は、第２の画像エリア５内の画像層２の断面を示す。複数のレンチキュラレンズ１０からなるアレイが、レーザ感光性ポリカーボネートで形成され得る基板１１上に被覆されている。レンズ１０を含む上部層９が基板１１上に被覆され、その上部層９は基板に積層されて一体構造をなすようにしてもよい。レーザがレンズ１０によって合焦され、画像ライン１２、１３に沿って、黒色化したピクセルトラック（画素線）を生じさせる。画像７、８は、画像ライン１２、１３からなる複数の対が単一のレンズの下方でその都度グループ化されるよう、インタレース方式で形成される。画像ライン１２、１３は、垂直視線方向１６に対して異なる視線方向１４、１５に沿って観察することができる。基板１１の高さＨは、例えば、約２５０μｍとし、画像層９の厚さＴは、例えば、５０μｍとすることができる。レンズ要素の幅Ｌは、例えば、７５μｍとすることができ、高さＤは約１０μｍとすることができる。
【００３５】
図３は、垂直方向１７に対して異なる角度α１、α２で画像ライン１２、１３を彫刻するレーザの二つの位置１６、１６’を概略的に示す。画像ライン１２、１３の非対称的な位置は、二つの画像７、８の両方を一つの見る角度で各々の眼で一つずつ観察し得るという可能性（これは、陽画画像及び陰画画像７、８で構成された立体画像を生じさせるであろう）を防止する。これは正確な比較を妨げるであろう。陽画画像８の角度α２は、肖像画像４を普通に見た時に、陰画画像８のみが見えるよう、垂直視線方向に対応することが好ましい。
【００３６】
図３に、より小さい角度α１で描かれた画像７は、画像８と比べて長さΔだけ幅方向に圧縮されることが概略的に示されている。画像プロセッサ（画像処理ユニット）１８（独立型プロセッサであっても、レーザ１６、１６’の制御ユニットに接続されるものであってもよい）において、画像７と画像８との間のこの長さの差Δは、画像層１１への画像８のレーザ彫刻の前に補償される。
【００３７】
図４ａは、陽画画像７の画素の明度値Ｂｐのヒストグラムを概略的に示している。図４ｂは、画像プロセッサ１８において、陽画明度スケールＢｐを反転させることによって算出することができる陰画画像８の明度値Ｂｎのヒストグラムを示している。
【図１】
2019535555.tif 000003
【図２】
2019535555.tif 000004
【図３】
2019535555.tif 000005
【図４Ａ】
2019535555.tif 000006
【図４Ｂ】
2019535555.tif 000007
【国際調査報告】
2019535555.tif 000008
2019535555.tif 000009